(57)【要約】【課題】容器本体とこの容器本体内に設置されている装飾体とを有する液体収容器において、容器本体内に液体を入れたときに、装飾体の比重と液体の比重との違いがあっても、装飾体による十分な装飾効果を得る。【解決手段】透明な容器本体３と、容器本体３内に設置されている装飾体５と、容器本体内３に設置され容器本体３内に透明液体９を入れたときに装飾体５が液体９中で浮遊状態になるように、装飾体５を支持する装飾体支持体７とを有する液体収容器１である。【選択図】図１
2020114742.tif 000002
【特許請求の範囲】
【請求項１】
透明もしくは半透明な容器本体と、
前記容器本体内に設置されている装飾体と、
前記容器本体内に設置され、前記容器本体内に透明もしくは半透明な液体を入れたときに前記装飾体が前記液体中で浮遊状態になるように、前記装飾体を支持する装飾体支持体と、
を有することを特徴とする液体収容器。
【請求項２】
請求項１に記載の液体収容器であって、
前記容器本体内に前記液体を入れたときに、前記装飾体支持体が肉眼では容易に認識することができないように構成されていることを特徴とする液体収容器。
【請求項３】
請求項１または請求項２に記載の液体収容器であって、
前記容器本体上端の開口部に設置され、前記容器本体内の液体を前記容器本体の外に取り出すための蓋部を有することを特徴とする液体収容器。
【請求項４】
請求項１〜請求項３のいずれか１項に記載の液体収容器であって、
前記装飾体は、複数設けられており、
前記装飾体支持体は、複数の粒状の部材を備えて構成されており、
前記容器本体内に透明もしくは半透明な液体を入れたときに、前記複数の装飾体が前記複数の粒状の部材の間に入り込むことで、前記浮遊状態が維持されるように構成されていることを特徴とする液体収容器。
【請求項５】
請求項４に記載の液体収容器であって、
前記装飾体支持体は、第１の粒径の複数の第１の粒状体と、前記第１の粒状体よりも大きい粒径である第２の粒径の複数の第２の粒状体とを備えて構成されており、前記容器本体内では、前記第１の粒状体が下側に配置されており、前記第２の粒状体が上側に配置されており、
前記装飾体は、第１の装飾材と第２の装飾材とを備えており、前記第１の装飾材は前記複数の第１の粒状体の間に入り込んでおり、前記第２の装飾材は前記複数の第２の粒状体の間に入り込んでいることを特徴とする液体収容器。
【請求項６】
請求項１〜請求項５のいずれか１項に記載の液体収容器であって、
前記装飾体支持体は、紐状部材を備えて構成されていることを特徴とする液体収容器。
【請求項７】
請求項３に記載の液体収容器であって、
前記装飾体の比重が前記液体の比重よりも大きくなっており、
前記装飾体支持体は、紐状部材と一対の磁石とを備えて構成されており、
前記紐状部材は、長手方向の一端部が前記容器本体の下部に接合されており、長手方向の他端部が前記装飾体に接合されており、
前記紐状部材に張力を発生させるように、前記一対の磁石のうちの一方の磁石が前記装飾体に設けられており、前記一対の磁石のうちの他方の磁石が、前記蓋部もしくは前記容器本体の上部に設けられていることを特徴とする液体収容器。
【請求項８】
透明もしくは半透明な容器本体と、
前記容器本体内に設置されている装飾体と、
を有し、前記容器本体内に液体を入れたときに、前記装飾体が肉眼では容易に認識することができないように構成されていることを特徴とする液体収容器。
【請求項９】
透明もしくは半透明な容器本体と、
透明もしくは半透明に構成されており、前記容器本体内に設置されている装飾体と、
下側の部位が前記装飾体の間を通って前記容器本体内に収容されており、上側の部位が前記容器本体の開口部から上方に突出している成分拡散体と、
を有することを特徴とする液体収容器。
【発明の詳細な説明】
【技術分野】
【０００１】
本発明は、液体収容器に係り、特に、内部に装飾体が設置されているものに関する。
【背景技術】
【０００２】
従来、図９で示すような液体収容器３０１が知られている。この液体収容器３０１では、容器本体３０３の内部に芳香剤や消臭剤等の液体３０５が入っているとともに、容器本体３０３の内部に装飾のために造花等の装飾体３０７が入っている。
【０００３】
そして、スプレー機能を備えた蓋部３０９を用いて液体３０５が液体収容器３０１の外に取り出されるようになっている。
ここで、従来の技術に関する文献として、たとえば特許文献１を掲げることができる。
【先行技術文献】
【特許文献】
【０００４】
【特許文献１】特許第４５４５６９２号公報
【発明の概要】
【発明が解決しようとする課題】
【０００５】
ところで、従来の液体収容器３０１では、装飾体３０７の比重と液体３０５の比重との違いによって、たとえば、装飾体３０７が容器本体３０３の底に沈んでしまい、装飾体３０７による十分な装飾効果を得ることができないという問題がある。
【０００６】
本発明は、上記問題点に鑑みてなされたものであり、容器本体とこの容器本体内に設置されている装飾体とを有する液体収容器において、容器本体内に液体を入れたときに、装飾体の比重と液体の比重との違いがあっても、装飾体による十分な装飾効果を得ることができる液体収容器を提供することを目的とする。
【課題を解決するための手段】
【０００７】
請求項１に記載の発明は、透明もしくは半透明な容器本体と、前記容器本体内に設置されている装飾体と、前記容器本体内に設置され、前記容器本体内に透明もしくは半透明な液体を入れたときに前記装飾体が前記液体中で浮遊状態になるように、前記装飾体を支持する装飾体支持体とを有する液体収容器である。
【０００８】
請求項２に記載の発明は、請求項１に記載の液体収容器であって、前記容器本体内に前記液体を入れたときに、前記装飾体支持体が肉眼では容易に認識することができないように構成されている液体収容器である。
【０００９】
請求項３に記載の発明は、請求項１または請求項２に記載の液体収容器であって、前記容器本体上端の開口部に設置され、前記容器本体内の液体を前記容器本体の外に取り出すための蓋部を有する液体収容器である。
【００１０】
請求項４に記載の発明は、請求項１〜請求項３のいずれか１項に記載の液体収容器であって、前記装飾体は、複数設けられており、前記装飾体支持体は、複数の粒状の部材を備えて構成されており、前記容器本体内に透明もしくは半透明な液体を入れたときに、前記複数の装飾体が前記複数の粒状の部材の間に入り込むことで、前記浮遊状態が維持されるように構成されている液体収容器である。
【００１１】
請求項５に記載の発明は、請求項４に記載の液体収容器であって、前記装飾体支持体は、第１の粒径の複数の第１の粒状体と、前記第１の粒状体よりも大きい粒径である第２の粒径の複数の第２の粒状体とを備えて構成されており、前記容器本体内では、前記第１の粒状体が下側に配置されており、前記第２の粒状体が上側に配置されており、前記装飾体は、第１の装飾材と第２の装飾材とを備えており、前記第１の装飾材は前記複数の第１の粒状体の間に入り込んでおり、前記第２の装飾材は前記複数の第２の粒状体の間に入り込んでいる液体収容器である。
【００１２】
請求項６に記載の発明は、請求項１〜請求項５のいずれか１項に記載の液体収容器であって、前記装飾体支持体は、紐状部材を備えて構成されていることを特徴とする液体収容器である。
【００１３】
請求項７に記載の発明は、請求項３に記載の液体収容器であって、前記装飾体の比重が前記液体の比重よりも大きくなっており、前記装飾体支持体は、紐状部材と一対の磁石とを備えて構成されており、前記紐状部材は、長手方向の一端部が前記容器本体の下部に接合されており、長手方向の他端部が前記装飾体に接合されており、前記紐状部材に張力を発生させるように、前記一対の磁石のうちの一方の磁石が前記装飾体に設けられており、前記一対の磁石のうちの他方の磁石が、前記蓋部もしくは前記容器本体の上部に設けられている液体収容器である。
【００１４】
請求項８に記載の発明は、透明もしくは半透明な容器本体と、前記容器本体内に設置されている装飾体とを有し、前記容器本体内に液体を入れたときに、前記装飾体が肉眼では容易に認識することができないように構成されている液体収容器である。
【００１５】
請求項９に記載の発明は、透明もしくは半透明な容器本体と、前記容器本体内に設置されている装飾体と、下側の部位が前記装飾体の間を通って前記容器本体内に収容されており、上側の部位が前記容器本体の開口部から上方に突出している成分拡散体とを有する液体収容器である。
【発明の効果】
【００１６】
本発明によれば、容器本体とこの容器本体内に設置されている装飾体とを有する液体収容器において、容器本体内に液体を入れたときに、装飾体の比重と液体の比重との違いがあっても、装飾体による十分な装飾効果を得ることができる液体収容器を提供することができるという効果を奏する。
【図面の簡単な説明】
【００１７】
【図１】本発明の実施形態に係る液体収容器を示す図である。
【図２】１つ目の変形例に係る液体収容器を示す図である。
【図３】２つ目の変形例に係る液体収容器を示す図である。
【図４】３つ目の変形例に係る液体収容器を示す図である。
【図５】４つ目の変形例に係る液体収容器を示す図である。
【図６】５つ目の変形例に係る液体収容器を示す図である。
【図７】６つ目の変形例に係る液体収容器を示す図である。
【図８】７つ目の変形例に係る液体収容器を示す図である。
【図９】従来の液体収容器を示す図である。
【発明を実施するための形態】
【００１８】
本発明の実施形態に係る液体収容器１は、たとえば、芳香剤や消臭剤や殺菌剤等を含む液体（たとえば水溶液）を内部に入れて使用されるものであり、図１で示すように、容器本体３と装飾体５と装飾体支持体７とを備えて構成されている。
【００１９】
容器本体３は、透明もしくは半透明な材料で構成されている。装飾体５は、容器本体３内に設置されている。装飾体支持体７は、装飾体５とともに容器本体３内に設置されている。
【００２０】
また、装飾体支持体７は、容器本体３内に透明もしくは半透明な液体９を入れたとき、装飾体５が液体９中で浮遊状態になるように、装飾体５を支持する。
【００２１】
液体９の比重と装飾体５の比重とはお互いが異なっている。たとえば、装飾体５の比重が液体９の比重よりも大きくなっている。したがって、仮に、装飾体支持体７が入っておらず装飾体５のみが入っている容器本体３内に液体９を入れると、装飾体５が浮遊状態にならず容器本体３の底に沈んでしまう。
【００２２】
また、装飾体５の比重が液体９の比重よりも小さければ、装飾体支持体７が入っておらず装飾体５のみが入っている容器本体３内に液体９を入れたときに、図９で示すように、装飾体５が浮遊状態にならず容器本体３の液体９の液面のところまで浮き上がってしまう。
【００２３】
図１で示すように、容器本体３内に装飾体５と装飾体支持体７と液体９とが入っている構成では、装飾体５が、上述したように、浮遊状態になっており、この浮遊状態では、装飾体５や装飾体支持体７が、液体９中でほとんど移動せず、長時間にわたって（半永久的に）ほぼ一定位置と姿勢とを維持するようになっている。
【００２４】
装飾体支持体７は、たとえば、容器本体３内に入れられる液体９と同色になっている。そして、容器本体３内に液体９を入れたときに、容器本体３内の液体９内に入り込んでいる装飾体支持体７を、容器本体３の外部から見て、肉眼では容易に認識することができないようになっている。すなわち、液体９の中に存在している装飾体支持体７が、肉眼では容易に認識されないようになっている。
【００２５】
なお、液体９や装飾体支持体７は、無色透明もしくは無色半透明もしくは有色透明もしくは有色半透明になっている。また、装飾体支持体７の比重は液体９の比重よりも大きくなっているが、装飾体支持体７の比重が液体９の比重よりも小さくなっていてもよい。
【００２６】
装飾体５は、たとえば不透明（透明や半透明でもよい）で容器本体３や液体９とは異なる色になっている。容器本体３や液体９や装飾体支持体７が透明もしくは半透明になっていることで、容器本体３内の液体９の中に装飾体５が存在していることを、容器本体３の外から見て、容易に認識することができるようになっている。
【００２７】
また、液体収容器１には、蓋部１１が設けられている。蓋部１１は、容器本体３上端の開口部に設置されている。また、蓋部１１は、容器本体３内の液体９を、容器本体３内（たとえば底部）から汲み上げて、容器本体３の外に取り出すために設けられている。
【００２８】
たとえば、蓋部１１は、容器本体３上端の開口部を塞いでいるとともに、容器本体３内の液体９を霧、泡等の状態で噴霧して容器本体３の外に出す機能（スプレー機能）を備えている。
【００２９】
容器本体３内の液体９が蓋部１１から容器本体３の外に取り出されて容器本体３内の液体９の液面の下がったときに、装飾体支持体７の液面よりも上に突出している部位は、容器本体３の外から肉眼で容易に見えるようになっている。
【００３０】
なお、蓋部１１が、単に、容器本体３上端の開口部を塞ぐ機能のみを備えている構成であってもよい。
【００３１】
装飾体５は、複数設けられている。装飾体支持体７は、粒状（たとえば球状）の複数の（多数の）部材（たとえば吸水性ポリマ）を備えて構成されている。各装飾体支持体７の直径はお互いがほぼ等しくなっている。また、装飾体５や装飾体支持体７は、容器本体３とは別体で構成されている。すなわち、容器本体３、装飾体５、装飾体支持体７は、これらが、お互いに接することはあるが、お互いが吸引力をもってくっつくことはなく自由に離れるようになっている。
【００３２】
なお、各装飾体支持体７の直径が異なっていてもよい。たとえば、各装飾体支持体７が、第１群の装飾体支持体と第２群の装飾体支持体とを備えて構成されていてもよい。第１群の装飾体支持体は、お互いの直径がほぼ等しい複数個の装飾体支持体７で構成されている。第２群の装飾体支持体も、お互いの直径がほぼ等しい複数個の装飾体支持体７で構成されている。そして、第１群の装飾体支持体を構成している装飾体支持体の直径と、第２群の装飾体支持体を構成している装飾体支持体の直径とはお互いが異なっている（たとえば若干異なっている）。さらに、各装飾体支持体７が３つ以上の複数群の装飾体支持体で構成されていてもよい。
【００３３】
容器本体３内に液体９を入れたときに、吸水性ポリマ７が液体の水分を吸収して膨張する。複数の装飾体５が粒状の複数の粒状の部材（球状の吸水性ポリマ）７の間に入り込んで僅かな力で挟まれることで、装飾体５の浮遊状態が維持されるようになっている。
【００３４】
水を含んだ吸水性ポリマ７の比重も、液体９の比重よりも大きくなっている。複数の吸水性ポリマ７は、お互いが積重なって容器本体３の底から容器本体３の上部にまで設けられている。たとえば、容器本体３内に液体９が満杯になっている状態では、装飾体支持体（吸水性ポリマ）７の上端が、液面の上には突出していないが液面下で液面の近くに位置している。これにより、装飾体５は、容器本体３の下部から上部にわたって偏りなく配置されている。
【００３５】
ここで、液体収容器１についてさらに詳しく説明する。
【００３６】
容器本体３は、円筒状部１３と、円板状の底板部１５と、中央に小径な円筒状の部位（開口部を形成している部位）を備えた円板状の上板部１７とを備えて構成されている。
【００３７】
蓋部１１は、容器本体３内の液体９を吸い上げるためのチューブ１９と、チューブ１９を通って吸い上げられた液体９を容器本体３の外部にスプレーする蓋部本体２１とを備えて構成されている。蓋部本体２１は、容器本体３の開口部を塞いでいる。
【００３８】
チューブ１９は、装飾体支持体７と同様に、たとえば、容器本体３内に入れられる液体９と同色になっている。そして、容器本体３内に液体９を入れたときに、容器本体３内の液体９内に入り込んでいるチューブ１９の部位を、容器本体３の外部から見て肉眼では容易に認識することができないようになっている。
【００３９】
装飾体５は、たとえば、平板状に形成されている。平板状とは、平板そのものの他に、厚さ方向で見て所定形状の平板の素材をこの厚さ方向に僅かな量の凹部や凸部をつけた立体形状を含む。
【００４０】
平板状の装飾体５として、たとえば、放射相称花状の造花、円形や楕円形や倒卵形状等の広葉樹の造花、皿形状、皿形状の中央部に貫通孔を設けた形状のもの掲げることができる。
【００４１】
また、平板な装飾体５として、図２で示す液体収容器（１つ目の変形例に係る液体収容器）１のように、厚さ方向で見て小さい星形等の所定形状に形成されているもの等（図２参照）を掲げることができる。なお、装飾体５として、星型正多角面体等のような立体形状のものを採用してもよい。また、装飾体５が小さい場合には、吸水性ポリマ７も小さい径のものが使用される。
【００４２】
複数の装飾体５が浮遊状態になっているときには、複数の装飾体５は、均等に適宜ばらけて容器本体３内に存在している。なお、すでに理解されるように、装飾体５が浮遊状態になっているが、装飾体支持体７が粒状の複数の部材で構成されているので、容器本体３を強く振ったりすれば、装飾体５の位置や姿勢が変化するようになっている。
【００４３】
次に、液体収容器１の動作を説明する。
【００４４】
初期状態として、容器本体３内に、液体９は入っていないが装飾体５と装飾体支持体７とが入っており、蓋部１１が容器本体３から外されているものとする。なお、初期状態では、装飾体支持体（吸水性ポリマ）７が水を含んでいないが、初期状態で、吸水性ポリマ７が、水を中途の状態もしくは満杯の状態で含んでいてもよい。
【００４５】
上記初期状態で、容器本体３内に液体９を満杯になるまで入れ、蓋部１１を設置する。容器本体３内に液体９を入れたことで、吸水性ポリマ７が膨張し、装飾体５をより安定した状態で挟み込む。
【００４６】
続いて、必要に応じて、蓋部１１の蓋部本体２１を操作し、容器本体３内の液体９を液体収容器１の外にスプレーで適宜取り出す。
【００４７】
これにより、容器本体３内の液体９が減少し、装飾体５や装飾体支持体７が液体９の液面の上側に現れる。
【００４８】
液体収容器１によれば、容器本体３内に液体９を入れたときに装飾体５が液体９中で浮遊状態になるように装飾体支持体７が装飾体５を支持するので、装飾体５が、液体９中でほとんど移動せずほぼ一定位置と姿勢とを維持する。これにより、装飾体５の比重と液体９の比重との違いがあっても、装飾体５が容器本体３内の液体９中で下部や上部に偏ったりせず、見栄えがよくなり、装飾体５による十分な装飾効果を得ることができる。
【００４９】
また、液体収容器１によれば、容器本体３内に液体９を入れたときに、装飾体支持体７が肉眼では容易に認識することができないように構成されているので、液体収容器１を見ている者が、装飾体支持体７の存在に気付かず、装飾体５がなにものにも支えられることなく液体９中に浮遊しているように感じ、装飾体５による十分な装飾効果を一層得ることができる。
【００５０】
さらに、水を含んだ吸水性ポリマ（たとえば、最大に吸水した吸水性ポリマ）７の屈折率（可視光の屈折率）と、液体９の屈折率（可視光の屈折率）とは、お互いがほぼ等しくなっている。これにより、液体９が入っている液体収容器１を見ている者は、装飾体支持体７の存在に気付かない。
【００５１】
また、液体収容器１によれば、容器本体３内の液体９を容器本体３の外に取り出すための蓋部１１を備えているので、容器本体３内の液体９が徐々に減少するにしたがって装飾体支持体７が現れ、液体９が容器本体３内で満杯になっている場合に比べて、液体収容器１を見ている者に異なった印象を与えることができる。
【００５２】
また、液体収容器１によれば、装飾体５が複数設けられており、装飾体支持体７が粒状の複数の部材を備で構成されており、容器本体３内に液体９を入れたときに、複数の装飾体５が粒状の複数の粒状の部材７の間に入り込むことで、各装飾体５の浮遊状態が維持されるので、容器本体３を振ることで、容器本体３内の各装飾体５の配置を容易に変えることができ、様々な態様で、装飾体５による十分な装飾効果を得ることができる。
【００５３】
また、装飾体支持体７が球状（球体）に形成されており、装飾体５が平板状に形成されていることで、装飾体支持７体に挟まれているにもかかわらず、装飾体５の変形量を少なくすることができる。
【００５４】
また、液体収容器１によれば、装飾体５が浮遊状態になっているので、容器本体３内の液体９を容器本体３の底部から吸い上げるチューブ１９に、装飾体５が詰まってしまうことが防止される。
【００５５】
次に、２つ目の変形例に係る液体収容器１について図３を参照しつつ説明する。
【００５６】
図３で示す液体収容器１は、装飾体５や装飾体支持体７が複数層（たとえば２層）になっている点が、図１や図２で示す液体収容器１とは異なっており、その他の点は、図１や図２で示す液体収容器１と同様に構成されている。
【００５７】
すなわち、図３で示す液体収容器１の装飾体支持体７は、第１の粒径の複数の（多数の）第１の粒状体（顆粒状の第１の粒状体）７Ａと、第１の粒状体よりも大きい粒径である第２の粒径の複数の（多数の）第２の粒状体７Ｂとを備えて構成されている。第１の粒状体７Ａの粒径と第２の粒状体７Ｂの粒径とは大きく異なっている。容器本体３内では、第１の粒状体７Ａが下側に配置されており、第２の粒状体７Ｂが、第１の粒状体７Ａとは混ざることなく第１の粒状体７Ａに積み重ねられて上側に配置されている。
【００５８】
装飾体５は、複数の第１の装飾材５Ａと複数の第２の装飾材（たとえば第１の装飾材５Ａよりも大きく、数が第１の装飾材５Ａよりも少ない第２の装飾材）５Ｂとを備えている。第１の装飾材５Ａは複数の第１の粒状体７Ａの間に入り込んでおり、第２の装飾材５Ｂは複数の第２の粒状体７Ｂの間に入り込んでいる。
【００５９】
なお、水を含んだ第２の粒状体７Ｂは、粒状の状態を維持しているが、水含んだ第１の粒状体７Ａが、肉眼でみるとあたかも粘液状の流動物の様相を呈している場合もある。この場合、チューブ１９に水を含んだ第２の粒状体７Ｂがチューブ１９内に入り込んでチューブ１９が詰まってしまうことを防止するために、蓋部１１は、単に、容器本体３上端の開口部を塞ぐ機能のみを備えている。
【００６０】
図３で示す液体収容器１によれば、装飾体支持体７が第１の粒径の複数の第１の粒状体７Ａと、粒径が第１の粒状体７Ａよりも大きい第２の粒径の複数の第２の粒状体７Ｂとを備えて構成されており、容器本体３内では、第１の粒状体７Ａが下側に配置されており、第２の粒状体７Ｂが第１の粒状体７Ａに重なって第１の粒状体７Ａの上側に配置されているので、第１の粒状体７Ａ内に第２の粒状体７Ｂが入り込むことがなく、容器本体３内で第１の装飾体５Ａの上側に第２の装飾体５Ｂが設置されている状態を維持することができる。
【００６１】
また、図３で示す液体収容器１によれば、装飾体５が第１の装飾材５Ａと第２の装飾材５Ｂとを備えており、第１の装飾材５Ａが複数の第１の粒状体７Ａの間に入り込んでおり、第２の装飾材５Ｂが複数の第２の粒状体７Ｂの間に入り込んでいるので、第１の装飾材５Ａと第２の装飾材５Ｂとがお互いに混ざってしまうことを防ぐことができ、容器本体３の下側に第１の装飾材５Ａを配置し、容器本体３の上側に第２の装飾材５Ｂを配置することができ、液体収容器１を見ている者にさらに異なった印象を与えることができる。
【００６２】
次に、３つ目の変形例に係る液体収容器１について図４を参照しつつ説明する。
【００６３】
図４で示す液体収容器１は、装飾体支持体７が細長い紐状の部材で構成されている点が、図１〜図３で示す液体収容器１とは異なっており、その他の点は、図１〜図３で示す液体収容器１と同様に構成されている。
【００６４】
すなわち、図４で示す液体収容器１の装飾体支持体７は、細長い紐状の部材で構成されている。紐状の部材７の長手方向の一端部は容器本体３に設置されており、紐状の部材７の長手方向の他端部は装飾体５に設置されている。また、液体収容器１内に液体９を入れたときに、液体収容器１を見ている者が紐状部材７を見ることができないようになっているが、紐状部材７が見えるように構成されていてもよい。
【００６５】
容器本体３内の液体９の比重の値は、装飾体５の比重の値よりも大きくなっており、紐状の部材７によって装飾体５が９中で浮き上がってしまうことを防止している。
【００６６】
なお、紐状の部材７の長手方向の一端部を蓋部１１に設置し、紐状の部材７の長手方向の他端部を装飾体５に設置してもよい。この場合、紐状の部材７は、この長さを縮める方向の力に対して抵抗力を持っている。
【００６７】
また、容器本体３内の液体９の比重の値が、装飾体５の比重の値よりも小さい場合において、紐状の部材７の長手方向の一端部が容器本体３、蓋部１１の少なくともいずれかに設置されており、紐状の部材７の長手方向の一端部が装飾体５に設置されている構成であってもよい。
【００６８】
紐状の部材７も、たとえば、容器本体３内に入れられる液体９と同色になっており、容器本体３内に液体９を入れたときに、容器本体３内の液体９内に入り込んでいる紐状の部材７が容器本体３の外部から見て肉眼では容易に認識することができないようになっている。
【００６９】
次に、４つ目の変形例に係る液体収容器１について図５を参照しつつ説明する。
【００７０】
図５で示す液体収容器１は、装飾体支持体７が、粒状の吸水性ポリマと細長い紐状の部材とで構成されている点が、図１〜図４で示す液体収容器１とは異なっており、その他の点は、図１〜図４で示す液体収容器１と同様に構成されている。
【００７１】
すなわち、図５で示す液体収容器１は、装飾体支持体７が、粒状（たとえば球状）の複数の（多数の）部材７Ｃと細長い紐状の部材（長手方向の引張力に対してのみ抵抗力のある紐状の部材）７Ｄを備えて構成されている。
【００７２】
図５で示す液体収容器１によれば、装飾体支持体７が、複数の粒状の部材と細長い紐状の部材とで構成されているので、形態がお互いに異なる複数種類（たとえば２種類）の装飾体５を、容器本体３内の液体９中で適切に配置することができ、複数種類の装飾体５による十分な装飾効果を得ることができる。
【００７３】
次に、５つ目の変形例に係る液体収容器１について図６を参照しつつ説明する。
【００７４】
図６で示す液体収容器１は、装飾体支持体７が細長い紐状の部材７Ｅと磁石７Ｆとを備えて構成されている点が、図１〜図５で示す液体収容器１とは異なっており、その他の点は、図１〜図５で示す液体収容器１と同様に構成されている。
【００７５】
すなわち、図６で示す液体収容器１では、装飾体５の比重が液体９の比重よりも大きくなっており、装飾体支持体７は、細長い紐状部材７Ｅと一対の磁石７Ｆとを備えて構成されている。
【００７６】
紐状部材７Ｅは、長手方向の一端部が容器本体３の下部（たとえば底部）に接合されており、長手方向の他端部が装飾体５に接合されている。また、液体収容器１内に液体９を入れたときに、液体収容器１を見ている者が紐状部材７Ｅを見ることができるようになっているが、紐状部材７Ｅが見えないよう構成されていてもよい。
【００７７】
また、一対の磁石７Ｆがお互いに引き合うことによって紐状部材７Ｅに張力が発生するように、一対の磁石のうちの一方の磁石７Ｆが装飾体５に設けられており、一対の磁石のうちの他方の磁石７Ｆが、蓋部１１もしくは容器本体３の上部に設けられている。
【００７８】
なお、一対の磁石７Ｆがお互いに反発し合うことによって紐状部材７Ｅに張力を発生させるように構成されていてもよいし、装飾体５の比重が液体９の比重よりも小さくなっていてもよい。
【００７９】
図６で示す液体収容器１によれば、装飾体５の比重が液体９の比重よりも大きくなっており、装飾体支持体７が紐状部材７Ｅと一対の磁石７Ｆとを備えて構成されており、紐状部材７Ｅは、この長手方向の一端部が容器本体３の下部に接合されており長手方向の他端部が装飾体５に接合されており、紐状部材７Ｅに張力が発生するように一方の磁石７Ｆが装飾体５に設けられており他方の磁石７Ｆが蓋部１１に設けられているので、容器本体３内の液体９が少なくなって液面が低下しても、一対の磁石７Ｆによって、装飾体５が液体９の液面から上に突出しているという突飛な装飾効果を得ることができる。
【００８０】
なお、図６で示す液体収容器１において、図５等で示す液体収容器１のように、装飾体支持体７が、さらに、粒状の部材を備えて構成されていてもよい。
【００８１】
次に、６つ目の変形例に係る液体収容器１について図７を参照しつつ説明する。
【００８２】
図７で示す液体収容器１は、装飾体支持体７を備えていない点が、図１〜図６で示す液体収容器１とは異なっており、その他の点は、図１〜図６で示す液体収容器１と同様に構成されている。
【００８３】
すなわち、図７で示す液体収容器１は、透明もしくは半透明な容器本体３と、この容器本体３内に設置されている装飾体５とを備えて構成されている。装飾体は、たとえば、容器本体３内に入れられる液体９と同色になっている。
【００８４】
そして、容器本体３内に液体を入れたときに、容器本体３内の液体９内に沈んでいる装飾体５が容器本体３の外部から見て肉眼では容易に認識することができないように構成されている。
【００８５】
装飾体５はたとえば容器本体３に一体的に設置されている。液体９が少なくなることで装飾体５が液体９から露出すると、この露出した装飾体５の部位が見えるようになる。
【００８６】
図７で示す液体収容器１によれば、容器本体３内に液体９を入れたときに、装飾体５が肉眼では容易に認識することができないように構成されているので、容器本体３内の液体９が徐々に減少したときに、装飾体５が現れ、液体９が容器本体３内で満杯になっている場合に比べて、液体収容器１を見ている者に異なった印象を与えることができる。
【００８７】
次に、７つ目の変形例に係る液体収容器１について図８を参照しつつ説明する。
【００８８】
図８で示す液体収容器１は、容器本体３と装飾体５と容器本体３内の液体９の成分（少なくとも一部の成分；たとえば芳香成分）を、空気中に拡散させるための成分拡散体２３とを備えて構成されている。
【００８９】
容器本体３は、透明もしくは半透明に形成されている。装飾体５は、透明もしくは半透明に形成されており、たとえば、吸水性ポリマで球状に形成されている。複数個の球状吸水性ポリマ（装飾体）５は、お互いの直径がほぼ等しくなっており、透明もしくは半透明に構成されており、容器本体３内に収容されている。成分拡散体２３は、液体９が浸透する材料で細長い円柱状等の棒状に形成されている。
【００９０】
なお、各装飾体５の直径が、上述した装飾体支持体７の場合と同様にして、異なっていてもよい。
【００９１】
成分拡散体２３は、たとえば、複数本設けられている。成分拡散体２３の下側の部位は、球状吸水性ポリマ５の間を通って、容器本体３内に収容されている。成分拡散体２３の上側の部位は、容器本体３の開口部から上方に突出している。
【００９２】
液体収容器１の容器本体３内に液体９を入れたとき、液体９の透明度と装飾体５の透明度とがお互いが異なっている態様、液体９の色と装飾体５の色とがお互いが異なっている態様の、少なくともいずれかの態様を示すようになっている。そして、液体収容器１の外部から、容器本体３と液体９とを通して、装飾体５を肉眼で見ることできるようになっている。
【００９３】
例を掲げて説明すると、容器本体３と液体９とは無色透明になっており、装飾体５は有色透明になっている。そして、液体収容器１の容器本体３内に液体９を入れたとき、装飾体５を肉眼で見ることでできるようになっている。
【００９４】
なお、各装飾体５は、複数群の色違いのもので構成されている。たとえば、１つもしくは複数の第１群の装飾体５は赤色透明になっており、１つもしくは複数の第２群の装飾体５は緑色透明になっており、１つもしくは複数の第３群の装飾体５は青色透明になっており、１つもしくは複数の第４群の装飾体５は紫色透明になっている。
【００９５】
そして、容器本体３内に液体を入れたときに、容器本体３内の液体９内に沈んでいる装飾体５が容器本体３の外部から見て肉眼で容易に認識きるように構成されている。
【００９６】
図８で示す液体収容器１によれば、容器本体３と装飾体５と成分拡散体２３とを備えて構成されているので、容器本体３内に液体９を入れたときに、液体９の成分を空気中に適宜拡散することができるとともに、装飾体５を肉眼で容易に認識することができ、装飾体５による装飾効果を得ることができる。
【符号の説明】
【００９７】
１  液体収容器
３  容器本体
５  装飾体
５Ａ  第１の装飾材
５Ｂ  第２の装飾材
７  装飾体支持体
７Ａ  第１の粒状体
７Ｂ  第２の粒状体
７Ｄ  紐状の部材
７Ｅ  紐状部材
７Ｆ  磁石
９  液体
２３  成分拡散体
【図１】
2020114742.tif 000003
【図２】
2020114742.tif 000004
【図３】
2020114742.tif 000005
【図４】
2020114742.tif 000006
【図５】
2020114742.tif 000007
【図６】
2020114742.tif 000008
【図７】
2020114742.tif 000009
【図８】
2020114742.tif 000010
【図９】
2020114742.tif 000011